(57)【要約】【課題】チャネル推定に用いるリファレンス信号を増加させて受信性能を向上させる。【解決手段】移動局装置３は、基地局装置２から通知される信号の値に応じて、チャネル推定に用いるリファレンス信号を含むシンボル数を動的に決定するシンボル数決定部２７と、リファレンス信号を含む複数のシンボルの中から、シンボル数決定部２７が決定したシンボル数のシンボルを選択するシンボル選択部２６と、シンボル選択部２６が選択したシンボルに基づいて基地局装置２からの受信信号のチャネル推定値を算出するチャネル推定部２６を備える。【選択図】図４
2014128020.tif 000002
【特許請求の範囲】
【請求項１】
基地局装置から通知される信号の値に応じて、チャネル推定に用いるリファレンス信号を含むシンボル数を動的に決定するシンボル数決定部と、
リファレンス信号を含む複数のシンボルの中から、前記シンボル数決定部が決定したシンボル数のシンボルを選択するシンボル選択部と、
前記シンボル選択部が選択したシンボルに基づいて前記基地局装置からの受信信号のチャネル推定値を算出するチャネル推定部と、
を備えることを特徴とする移動局装置。
【請求項２】
前記シンボル選択部は、前記シンボルを格納する無線通信フレームの先頭から順に前記シンボル数決定部が決定したシンボル数のシンボルを選択することを特徴とする請求項１に記載の移動局装置。
【請求項３】
前記シンボル選択部は、チャネル推定の対象の無線リソースにより近いシンボルを優先的に選択することを特徴とする請求項１に記載の移動局装置。
【請求項４】
基地局装置から通知される前記信号に応じて、ダウンリンク受信タイミングに対するアップリンク送信タイミングのオフセットであるタイミングアドバンスを決定するタイミング制御部を備え、
前記シンボル数決定部は、タイミングアドバンスに応じてチャネル推定に用いるリファレンス信号を含むシンボル数を決定することを特徴とする請求項１〜３のいずれか一項に記載の移動局装置。
【請求項５】
基地局装置から通知される前記信号に応じて、前記移動局装置が受信するトランスポートブロックの大きさを特定するトランスポートブロック特定部を備え、
前記シンボル数決定部は、トランスポートブロックの大きさに応じてチャネル推定に用いるリファレンス信号を含むシンボル数を決定することを特徴とする請求項１〜３のいずれか一項に記載の移動局装置。
【請求項６】
基地局装置から通知される前記信号に応じて、ダウンリンク受信タイミングに対するアップリンク送信タイミングのオフセットであるタイミングアドバンスを決定するタイミング制御部と、
基地局装置から通知される前記信号に応じて、前記移動局装置が受信するトランスポートブロックの大きさを特定するトランスポートブロック特定部と、を備え、
前記シンボル数決定部は、タイミングアドバンス及びトランスポートブロックの大きさに応じてチャネル推定に用いるリファレンス信号を含むシンボル数を決定することを特徴とする請求項１〜３のいずれか一項に記載の移動局装置。
【請求項７】
基地局装置から通知される信号の値に応じて、チャネル推定に用いるリファレンス信号を含むシンボル数を動的に決定し、
リファレンス信号を含む複数のシンボルの中から、決定された前記シンボル数のシンボルを選択し、
選択された前記シンボルに基づいて前記基地局装置からの受信信号のチャネル推定値を算出することを特徴とする通信方法。
【発明の詳細な説明】
【技術分野】
【０００１】
本明細書で論じられる実施態様は、移動局通信システムにおけるチャネル推定技術に関する。
【背景技術】
【０００２】
移動局装置にとって既知のリファレンス信号の受信結果に基づいて、移動局装置と基地局装置との間の通信チャネルを推定するチャネル推定技術が知られている。
【０００３】
また、アップリンク送信タイミングを決定する方法としてＴＡ（Timing Advance）制御が知られている。基地局装置は、ダウンリンク受信タイミングに対するアップリンク送信タイミングのオフセットであるＴＡの補正値を移動局装置へ送信する。
【０００４】
なお、チャネル推定のモード切替が、受信装置で、推定の精度、チャネルパルス応答の測定された変化速度、または信号伝搬時間と一致する見越し時間（タイミングアドバンス）の変化速度に依存して行われることが知られている（例えば特許文献１参照）。
【先行技術文献】
【特許文献】
【０００５】
【特許文献１】特表２００１−５２０４９２号公報
【発明の概要】
【発明が解決しようとする課題】
【０００６】
より多くのリファレンス信号を用いることによりチャネル推定精度を向上することが可能である。しかし、移動局装置に許される下りチャネル信号の処理期間には限りがあるため、チャネル推定に用いることができるリファレンス信号には制限がある。従来、チャネル推定に用いるリファレンス信号の数の制限により受信性能が劣化することがあった。
【０００７】
本明細書に開示される装置又は方法は、チャネル推定に用いるリファレンス信号を増加させて受信性能を向上させることを目的とする。
【課題を解決するための手段】
【０００８】
装置の一観点によれば、移動局装置が与えられる。移動局装置は、基地局装置から通知される信号の値に応じて、チャネル推定に用いるリファレンス信号を含むシンボル数を動的に決定するシンボル数決定部を備える。移動局装置は、リファレンス信号を含む複数のシンボルの中から、シンボル数決定部が決定したシンボル数のシンボルを選択するシンボル選択部を備える。移動局装置は、シンボル選択部が選択したシンボルに基づいて基地局装置からの受信信号のチャネル推定値を算出するチャネル推定部を備える。
【発明の効果】
【０００９】
本明細書に開示される装置又は方法によれば、チャネル推定に用いるリファレンス信号を増加させて受信性能を向上させることができる。
【図面の簡単な説明】
【００１０】
【図１】通信システムの構成例の説明図である。
【図２】ダウンリンク送信フォーマットの一例の説明図である。
【図３】基地局装置の機能構成図である。
【図４】移動局装置の第１例の機能構成図である。
【図５】チャネル推定処理の一例の説明図である。
【図６】（Ａ）〜（Ｄ）はチャネル推定に用いるＯＦＤＭシンボルの選択方法の第１例の説明図である。
【図７】（Ａ）〜（Ｄ）はチャネル推定に用いるＯＦＤＭシンボルの選択方法の第２例の説明図である。
【図８】移動局装置の動作の第１例の説明図である。
【図９】移動局装置の第２例の機能構成図である。
【図１０】移動局装置の動作の第２例の説明図である。
【図１１】基地局装置のハードウエア構成の一例の説明図である。
【図１２】移動局装置のハードウエア構成の一例の説明図である。
【発明を実施するための形態】
【００１１】
＜１．通信システム＞
以下、添付する図面を参照して好ましい実施例について説明する。図１は、通信システムの構成例の説明図である。通信システム１は、基地局装置２と移動局装置３を備える。以下の説明及び図面において、基地局装置及び移動局装置をそれぞれ「基地局」及び「移動局」と表記することがある。
【００１２】
基地局２は、移動局３と無線接続して無線通信を行う無線通信装置である。基地局２は、１又は複数のセルにおいて移動局３に対して音声通信や映像配信など種々のサービスを提供できる。以下の説明は、通信システム１が標準化団体である３ＧＰＰ（3rd Generation Partnership Project）の標準規格上で規定されているＬＴＥ（Long term Evolution）に準拠している場合の例示を使用する。しかし、但しこの例示は、本明細書に記載される通信システムが、ＬＴＥに準拠する通信システムのみに限定して適用されることを意図するものではない。本明細書に記載される通信システムは、リファレンス信号を用いたチャネル推定が行われる通信システムにおいて広く適用可能である。
【００１３】
図２は、ダウンリンク送信フォーマットの一例の説明図である。送信フォーマットは、時間軸と周波数軸の二次元空間で表現され、時間軸方向はＯＦＤＭ（Orthogonal Frequency Division Multiplexing）シンボル、スロット、サブフレームと呼ばれる単位で形成される。スロットは７個のＯＦＤＭシンボルを含む。サブフレームは２個のスロットを含む。
【００１４】
一方、周波数軸方向はサブキャリア、リソースブロック(ＲＢ:Resource Block)と呼ばれる単位で形成される。ＲＢは１２個のサブキャリアを含む。図示の例ではスロットの先頭ＯＦＤＭシンボルおよび５番目のＯＦＤＭシンボルにセル固有リファレンス信号（Cell specific reference signal）がマッピングされる。図２においてリファレンス信号が配置されたシンボル及びキャリアは、斜線でハッチングされた領域で示されている。以下の説明及び図面において、セル固有リファレンス信号を「ＲＳ」と表記することがある。
【００１５】
制御チャネルがマッピングされるＰＤＣＣＨ（Physical Downlink Control Channel）はサブフレーム先頭に配置される。図示の例では、ドットパターンでハッチングされた先頭の３個のＯＦＤＭシンボルに配置される。残りの無線リソースには、移動局３向けのデータがマッピングされるＰＤＳＣＨ（Physical Downlink Shared Channel）が配置される。
【００１６】
＜２．１．第１実施例の構成＞
図３は、基地局２の機能構成図である。基地局２は、アップリンク受信部１０と、受信タイミング検出部１１と、送信タイミング決定部１２と、データ生成部１３と、誤り訂正符号化部１４と、ダウンリンク送信部１５を備える。
【００１７】
アップリンク受信部１０は、移動局３から送信されたアップリンク信号を受信する。受信タイミング検出部１１は、移動局３から送信されたアップリンク信号の受信タイミングを検出し送信タイミング決定部１２へ入力する。
【００１８】
送信タイミング決定部１２は、移動局３から送信されたアップリンク号の受信タイミングに基づいて、移動局３のアップリンク送信タイミングを早めるか遅らせるかを決定し、ＴＡの補正量を移動局３に通知するＴＡコマンドを生成する。送信タイミング決定部１２は、補正量に応じたＴＡコマンドをデータ生成部１３に入力する。
【００１９】
データ生成部１３は、移動局３に送信するダウンリンクデータを生成し、ＴＡコマンドと多重してから誤り訂正符号化部１４に入力する。誤り訂正符号化部１４は入力されたデータを誤り訂正符号化する。ダウンリンク送信部１５は、入力された符号化データの変調等を行い、ダウンリンク信号を生成する。ダウンリンク送信部１５は、アンテナを介してダウンリンク信号をから移動局３へ送信する。
【００２０】
図４は、移動局３の第１例の機能構成図である。移動局３は、アップリンクデータ生成部２０と、誤り訂正符号化部２１と、アップリンク送信部２２と、送信タイミング制御部２３と、受信タイミング検出部２４と、ダウンリンク受信部２５と、チャネル推定部２６を備える。移動局３は、シンボル数決定部２７と、復調部２８と、誤り訂正復号部２９を備える。
【００２１】
アップリンクデータ生成部２０は基地局２へ送信するアップリンクデータを生成し、誤り訂正符号化部２１へ入力する。誤り訂正符号化部２１は、入力されたアップリンクデータを誤り訂正符号化する。アップリンク送信部２２は、符号化データの変調等の処理を行うことによりアップリンク信号を生成する。
【００２２】
アップリンク送信部２２は、受信タイミング検出部２４が検出したダウンリンク受信タイミングよりも送信タイミング制御部２３が定めたＴＡの分だけ早めた送信タイミングで、アップリンク信号を基地局２へ送信する。
【００２３】
ダウンリンク受信部２５は、基地局２から送信されたダウンリンク信号を受信する。受信タイミング検出部２４は、ダウンリンク信号の受信タイミングを検出し、アップリンク送信部２２へ出力する。
【００２４】
チャネル推定部２６は、ダウンリンク信号に含まれるＲＳに基づいてチャネル推定処理を行い、チャネル推定値を復調部２８へ入力する。
【００２５】
図５は、図２に示すリファレンス信号配置の場合におけるチャネル推定処理の一例の説明図である。チャネル推定部２６は、例えば２次元ＭＭＳＥ（Minimum Mean Square Error）チャネル推定と呼ばれる方法によりチャネル推定値を算出してよい。２次元ＭＭＳＥチャネル推定は、チャネル推定の対象の無線リソースの近傍にあるＲＳのパターンに元のパターンの複素共役を乗じたゼロフォーシングフォーシング値（ＺＦ値）をＭＭＳＥ重みによって重み付けすることによりチャネル推定値を生成する。例えば、ＯＦＤＭシンボルｔ、サブキャリアｆにおけるチャネル推定値ｈ＾（ｔ，ｆ）は次式によって与えられる。
【００２６】
【数１】
2014128020.tif 000003
【００２７】
ｈｚｆ（０，５）及びｈｚｆ（０，１１）は、それぞれ先頭シンボルの６番目及び１２番目のサブキャリアでのＺＦ値である。ｈｚｆ（４，２）及びｈｚｆ（４，８）は、それぞれ５番目のシンボルの３番目及び９番目のサブキャリアでのＺＦ値である。ｈｚｆ（７，５）及びｈｚｆ（７，１１）は、それぞれ８番目のシンボルの６番目及び１２番目のサブキャリアでのＺＦ値である。ｈｚｆ（１１，２）及びｈｚｆ（１１，８）は、それぞれ１２番目のシンボルの３番目及び９番目のサブキャリアでのＺＦ値である。
【００２８】
また、ｗ０及びｗ１は、チャネル推定の対象の無線リソースと先頭シンボルの６番目及び１２番目のサブキャリアとの間の重み係数である。ｗ２及びｗ３は、チャネル推定の対象の無線リソースと５番目のシンボルの３番目及び９番目のサブキャリアとの間の重み係数である。ｗ４及びｗ５は、チャネル推定の対象の無線リソースと８番目のシンボルの６番目及び１２番目のサブキャリアとの間の重み係数である。ｗ６及びｗ７は、チャネル推定の対象の無線リソースと１２番目のシンボルの３番目及び９番目のサブキャリアとの間の重み係数である。
【００２９】
ＲＳを含んだＯＦＤＭシンボルのうちチャネル推定部２６がチャネル推定に用いるＯＦＤＭシンボル数は、シンボル数決定部２７によって指定される。チャネル推定部２６は、シンボル数決定部２７によって指定されるＯＦＤＭシンボル数に応じて、ＲＳを含んだＯＦＤＭシンボルのうちチャネル推定に用いるＯＦＤＭシンボルを選択する。
【００３０】
図６の（Ａ）〜図６の（Ｄ）はチャネル推定に用いるＯＦＤＭシンボルの選択方法の第１例の説明図である。図７の（Ａ）〜図７の（Ｄ）はチャネル推定に用いるＯＦＤＭシンボルの選択方法の第２例の説明図である。先頭ＯＦＤＭシンボル、５番目、８番目及び１２番目のＯＦＤＭシンボルがＲＳを含む場合を想定する。
【００３１】
図６の（Ａ）〜図６の（Ｄ）は、それぞれシンボル数決定部２７が指定するＯＦＤＭシンボル数が４〜１個の場合に選択されるＯＦＤＭシンボルである。チャネル推定部２６は、サブフレームの先頭から近い順でＯＦＤＭシンボルを選択する。すなわちチャネル推定部２６は、同じサブフレームに含まれるＯＦＤＭシンボルの中から受信時期がより早いものを優先して選択する。
【００３２】
図６の（Ａ）では、チャネル推定部２６は、先頭ＯＦＤＭシンボル、５番目、８番目及び１２番目のＯＦＤＭシンボルを選択する。図６の（Ｂ）では、チャネル推定部２６は、先頭ＯＦＤＭシンボル、５番目及び８番目のＯＦＤＭシンボルを選択する。
【００３３】
図６の（Ｃ）では、チャネル推定部２６は、先頭ＯＦＤＭシンボル及び５番目のＯＦＤＭシンボルを選択する。図６の（Ｄ）では、チャネル推定部２６は先頭ＯＦＤＭシンボルを選択する。受信時期がより早いＯＦＤＭに基づいてチャネル推定を行うことにより、ＲＳの受信待ち時間が短縮されてチャネル推定処理をより早く完了することができる。
【００３４】
図７の（Ａ）〜図７の（Ｄ）は、それぞれシンボル数決定部２７が指定するＯＦＤＭシンボル数が４〜１個の場合に選択されるＯＦＤＭシンボルである。チャネル推定部２６は、チャネル推定の対象の無線リソースにより近いＯＦＤＭシンボルを優先して選択する。チャネル推定の対象の無線リソースに近いＯＦＤＭシンボルを選択することにより、チャネル推定精度が向上する。
【００３５】
いま、シンボルｔ＝５、サブキャリアｆ＝７の無線リソースがチャネル推定の対象である場合を想定する。図７の（Ａ）では、チャネル推定部２６は、先頭ＯＦＤＭシンボル、５番目、８番目及び１２番目のＯＦＤＭシンボルを選択する。図７の（Ｂ）では、チャネル推定部２６は、先頭ＯＦＤＭシンボル、５番目、８番目及び１２番目のＯＦＤＭシンボルのうち対象のリソースに最も近い３個のシンボルとして、先頭ＯＦＤＭシンボル、５番目及び８番目のＯＦＤＭシンボルを選択する。
【００３６】
図７の（Ｃ）では、チャネル推定部２６は、先頭ＯＦＤＭシンボル、５番目、８番目及び１２番目のＯＦＤＭシンボルのうち対象のリソースに最も近い２個のシンボルとして５番目及び８番目のＯＦＤＭシンボルを選択する。図７の（Ｄ）では、チャネル推定部２６は、先頭ＯＦＤＭシンボル、５番目、８番目及び１２番目のＯＦＤＭシンボルのうち対象のリソースに最も近い１個のシンボルとして５番目のＯＦＤＭシンボルを選択する。なお、対象のリソースから同時間離れた２個のＯＦＤＭシンボルから何れかを選択する場合、チャネル推定部２６は、より受信時刻が早いＯＦＤＭシンボルを優先して選択してよい。
【００３７】
図４を参照する。復調部２８は、チャネル推定部２６が算出したチャネル推定値を用いてダウンリンク信号を復調し、誤り訂正復号部２９へ入力する。誤り訂正復号部２９は、誤り訂正復号処理を行うことによりデータを再生する。誤り訂正復号部２９は、データに含まれる基地局２から通知されたＴＡコマンドを送信タイミング制御部２３に入力する。
【００３８】
送信タイミング制御部２３は、ＴＡコマンドを受け取る毎に、累積的なＴＡを更新し、ＴＡをアップリンク送信部２４およびシンボル数決定部２７へ通知する。シンボル数決定部２７は通知されたＴＡからチャネル推定に用いるＲＳを含むＯＦＤＭシンボル数を決定する。
【００３９】
例えばシンボル数決定部２７は、予め定めた１個以上の閾値とＴＡとを比較して、ＲＳを含んだＯＦＤＭシンボルのうちチャネル推定に用いられるＯＦＤＭシンボル数を設定してよい。例えばシンボル数決定部２７は、以下の表１に従い３つの閾値ＴＡｔｈ０、ＴＡｔｈ１及びＴＡｔｈ２（ＴＡｔｈ０＜ＴＡｔｈ１＜ＴＡｔｈ２）により定義される範囲の何れにＴＡが含まれるかに応じてＯＦＤＭシンボル数を設定する。
【００４０】
【表１】
2014128020.tif 000004
【００４１】
シンボル数決定部２７は、決定したチャネル推定部２６に通知する。なお、シンボル数決定部２７は、ＴＡに応じてＯＦＤＭシンボル数を算出する算出式を用いてチャネル推定に用いられるＯＦＤＭシンボル数を算出してもよい。
【００４２】
＜２．２．第１実施例の動作＞
以下、移動局３の動作について説明する。図８は、移動局３の動作の第１例の説明図である。オペレーションＡＡにおいて誤り訂正復号部２９は、受信データに含まれる基地局２から通知されたＴＡコマンドを検出して、送信タイミング制御部２３に入力する。オペレーションＡＢにおいて送信タイミング制御部２３は、受信したＴＡコマンドに応じて累積的なＴＡを更新し、ＴＡをアップリンク送信部２４およびシンボル数決定部２７へ通知する。
【００４３】
オペレーションＡＣにおいてシンボル数決定部２７は通知されたＴＡからチャネル推定に用いるＲＳを含むＯＦＤＭシンボル数を決定する。オペレーションＡＤにおいてチャネル推定部２６は、シンボル数決定部２７によって指定されるＯＦＤＭシンボル数に応じてチャネル推定に用いるＯＦＤＭシンボルを選択する。チャネル推定部２６は、選択したＯＦＤＭシンボルのＲＳを用いてチャネル推定値を算出する。
【００４４】
オペレーションＡＥにおいて復調部２８は、チャネル推定部２６が算出したチャネル推定値を用いてダウンリンク信号を復調し、誤り訂正復号部２９へ入力する。オペレーションＡＦにおいて誤り訂正復号部２９は、誤り訂正復号処理を行うことによりデータを再生する。
【００４５】
＜２．３．実施例の効果＞
本実施例によれば、移動局３は送信タイミングを定めるＴＡに応じてチャネル推定に使用するＯＦＤＭシンボル数を動的に制御することができる。このため、例えばＴＡが短く、送信タイミングまでの期間が比較的長い場合にはより多くのＯＦＤＭシンボル数をチャネル推定に用いて受信性能を向上させることが可能になる。
【００４６】
＜３．１．第２実施例＞
シンボル数決定部２７は、基地局２から通知される信号のうちＴＡコマンド以外の信号の値に応じてチャネル推定に用いるＯＦＤＭシンボル数を決定してもよい。すなわち、チャネル推定に用いるＯＦＤＭシンボル数は、基地局２から通知されるいずれかの信号の値によって決定されてよい。
【００４７】
図９は、移動局３の第２例の機能構成図である。図５に示す構成要素と同様の構成要素には図５で使用した参照符号と同じ参照符号を付し、同一の機能については説明を省略する。移動局３は、トランスポートブロックサイズ特定部３０を備える。なお、以下の説明及び図面に置いてトランスポートブロックを「ＴＢ」と表記することがある。
【００４８】
３ＧＰＰ  ＬＴＥシステムでは、ＰＤＳＣＨの割り当てをＰＤＣＣＨにより通知する。ＰＤＣＣＨは、ＰＤＳＣＨの割り当てＲＢ数、変調方式および符号化率を示すＭＣＳ（Modulation and Coding Scheme）等の情報が含む。ＰＤＳＣＨの割り当てＲＢ数が多く、変調次数が高いほど、復調処理の処理時間がより長くなる。
【００４９】
また、ＰＤＳＣＨの割り当てＲＢ数が多く、変調次数が高く、符号化率が高いほど、復号を行うＴＢサイズが大きくなり、誤り訂正復号処理の処理時間が長くなる。そこで、移動局３は、ＴＢサイズが比較的大きい場合にチャネル推定に用いるＯＦＤＭシンボル数を動的に低減して誤り訂正復号処理の処理時間を確保し、ＴＢサイズが比較的小さい場合にチャネル推定に用いるＯＦＤＭシンボル数を動的に増大させる。
【００５０】
誤り訂正復号部２９はＰＤＣＣＨの復号を行い、復号結果をＴＢサイズ特定部３０に通知する。ＴＢサイズ特定部３０は、ＰＤＣＣＨ復号結果に含まれる割当ＲＢ数、ＭＣＳからＰＤＳＣＨのＴＢサイズを特定しシンボル数決定部２７に通知する。シンボル数決定部２７は、ＴＢサイズからチャネル推定に用いるＲＳを含むＯＦＤＭシンボル数を決定する。以下の説明においてＴＢサイズをＴＢＳと表記することがある。
【００５１】
例えばシンボル数決定部２７は、予め定めた１個以上の閾値とＴＢＳとを比較して、ＲＳを含んだＯＦＤＭシンボルのうちチャネル推定に用いられるＯＦＤＭシンボル数を設定してよい。例えばシンボル数決定部２７は、以下の表２に従い３つの閾値ＴＢＳｔｈ０、ＴＢＳｔｈ１及びＴＢＳｔｈ２（ＴＢＳｔｈ０＜ＴＢＳｔｈ１＜ＴＢＳｔｈ２）により定義される範囲の何れにＴＢＳが含まれるかに応じてＯＦＤＭシンボル数を設定する。
【００５２】
【表２】
2014128020.tif 000005
【００５３】
シンボル数決定部２７は、決定したチャネル推定部２６に通知する。なお、シンボル数決定部２７は、ＴＢＳに応じてＯＦＤＭシンボル数を算出する算出式を用いてチャネル推定に用いられるＯＦＤＭシンボル数を算出してもよい。
【００５４】
図１０は、移動局３の動作の第２例の説明図である。オペレーションＢＡにおいてＴＢサイズ特定部３０は、ＰＤＣＣＨ復号結果に含まれる割当ＲＢ数、ＭＣＳからＰＤＳＣＨのＴＢサイズを特定する。オペレーションＢＢにおいてシンボル数決定部２７は通知されたＴＢサイズからチャネル推定に用いるＲＳを含むＯＦＤＭシンボル数を決定する。オペレーションＢＣ〜オペレーションＢＥの動作は、図８のオペレーションＡＤ〜ＡＦの動作と同様である。
【００５５】
本実施例によれば、移動局３はＴＢＳに応じてチャネル推定に使用するＯＦＤＭシンボル数を動的に制御することができる。このため、例えばＴＢＳが大きい場合にはＲＳの受信待ち時間を短縮することによって、誤り訂正復号処理により長い処理時間を確保することができる。また、例えばＴＢＳが小さい場合にはより多くのＯＦＤＭシンボル数をチャネル推定に用いて受信性能を向上させることが可能になる。
【００５６】
＜３．２．変形例＞
第２実施例のシンボル数決定部２７は、ＴＢＳとＴＡの両方に基づいてチャネル推定に用いるＲＳを含むＯＦＤＭシンボル数を決定してもよい。例えば、シンボル数決定部２７は、次表３に従い、閾値ＴＡｔｈ０、ＴＡｔｈ１及びＴＡｔｈ２で定義した範囲のどこにＴＡがあり、閾値ＴＢＳｔｈ０、ＴＢＳｔｈ１及びＴＢＳｔｈ２で定義した範囲のどこＴＢＳがあるに応じてＯＦＤＭシンボル数を設定する。
【００５７】
【表３】
2014128020.tif 000006
【００５８】
例えば、ＴＡがＴＡｔｈ０〜ＴＡｔｈ１の範囲にあり、ＴＢＳがＴＢＳｔｈ１〜ＴＢＳｔｈ２の範囲にある場合にチャネル推定に用いるＯＦＤＭシンボル数は「２」である。例えば、ＴＡがＴＡｔｈ０より小さくＴＢＳがＴＢＳｔｈ１〜ＴＢＳｔｈ２の範囲にある場合にチャネル推定に用いるＯＦＤＭシンボル数は「３」である。なお、シンボル数決定部２７は、ＴＡ及びＴＢＳに応じてＯＦＤＭシンボル数を算出する算出式を用いてチャネル推定に用いられるＯＦＤＭシンボル数を算出してもよい。
【００５９】
＜４．ハードウエア構成＞
図１１は、基地局２のハードウエア構成の一例の説明図である。基地局２は、ＣＰＵ（Central Processing Unit）等であるプロセッサ４０と、記憶装置４１と、ＬＳＩ（Large Scale Integration）４２と、無線処理回路４３と、ネットワークインタフェース回路４４を備える。以下の説明及び添付図面においてネットワークインタフェースを「ＮＩＦ」と表記する事がある。
【００６０】
記憶装置４１は、コンピュータプログラムやデータを記憶するための、不揮発性メモリや、読み出し専用メモリ（ROM: Read Only Memory）やランダムアクセスメモリ（RAM: Random Access Memory）、ハードディスクドライブ装置等を含んでいてよい。プロセッサ４０は、記憶装置４１に格納されたコンピュータプログラムに従い、下記のＬＳＩ４２が行う処理以外のユーザ管理処理や基地局２の動作制御を行う。
【００６１】
ＬＳＩ４２は、移動局３と基地局２との間で送受信される信号の符号化及び変調、並びに復調及び復号化、通信プロトコル処理、スケジューリングに関するベースバンド信号の処理を実施する。ＬＳＩ４２は、ＦＰＧＡ（Field-Programming Gate Array）、ＡＳＩＣ（Application Specific Integrated Circuit）やＤＳＰ(Digital Signal Processing)等を含んでいてよい。
【００６２】
無線処理回路４３は、デジタル・アナログ変換回路や、アナログ・デジタル変換回路や、周波数変換回路、増幅回路、フィルタ回路などを含んでいてよい。ＮＩＦ回路４４は、物理層およびデータリンク層を使用して有線ネットワークを経由して上位ノード装置と通信するための電子的な回路を備える。
【００６３】
図３に示す基地局２のアップリンク受信部１０、受信タイミング検出部１１及びダウンリンク送信部１５の上記動作は、無線処理回路４３及びＬＳＩ４２の協働により実行される。送信タイミング決定部１２及びデータ生成部１３の上記動作は、プロセッサ４０によって実行される。誤り訂正符号部１４の上記動作は、プロセッサ４０及び／又はＬＳＩ４２により実行される。
【００６４】
図１２は、移動局３のハードウエア構成の一例の説明図である。移動局３は、プロセッサ５０と、記憶装置５１と、ＬＳＩ５２と、無線処理回路５３を備える。記憶装置５１は、コンピュータプログラムやデータを記憶するための、不揮発性メモリや、読み出し専用メモリやランダムアクセスメモリ等を含んでいてよい。
【００６５】
プロセッサ５０は、記憶装置５１に格納されたコンピュータプログラムに従い、下記のＬＳＩ５２が行う処理以外の移動局３の動作制御と、ユーザデータを処理するアプリケーションプログラムを実行する。
【００６６】
ＬＳＩ５２は、移動局３と基地局２との間で送受信される信号の符号化及び変調、並びに復調及び復号化、通信プロトコル処理、スケジューリングに関するベースバンド信号の処理を実施する。ＬＳＩ５２は、ＦＰＧＡ、ＡＳＩＣやＤＳＰ等を含んでいてよい。無線処理回路５３は、デジタル・アナログ変換回路や、アナログ・デジタル変換回路や、周波数変換回路などを含んでいてよい。
【００６７】
図４に示す移動局３のアップリンク送信部２２、受信タイミング検出部２４及びダウンリンク受信部２５の上記動作は、無線処理回路５３及びＬＳＩ５２の協働により実行される。アップリンクデータ生成部２０、送信タイミング制御部２３、チャネル推定部２６、シンボル数決定部２７の上記動作は、プロセッサ５０によって実行される。誤り訂正符号化部２１、復調部２８及び誤り訂正復号部２９の上記動作は、プロセッサ５０及び／又はＬＳＩ５２により実行される。図９に示す移動局３のＴＢサイズ決定部の上記動作は、プロセッサ５０によって実行される。
【００６８】
なお、図１１及び図１２に示すハードウエア構成は実施例の説明のための例示にすぎない。上述の動作を実行するものであれば、本明細書に記載される基地局及び移動局は他のどのようなハードウエア構成を採用してもよい。
【００６９】
図３、図４及び図９の機能構成図は、本明細書において説明される機能に関係する構成を中心に示している。基地局２及び移動局３は、図示の構成要素以外の他の構成要素を含んでいてよい。また、図８及び図１０を参照して説明する一連の動作は複数の手順を含む方法と解釈してもよい。この場合に「オペレーション」を「ステップ」と読み替えてもよい。
【００７０】
以上の実施例を含む実施形態に関し、更に以下の付記を開示する。
（付記１）
基地局装置から通知される信号の値に応じて、チャネル推定に用いるリファレンス信号を含むシンボル数を動的に決定するシンボル数決定部と、
リファレンス信号を含む複数のシンボルの中から、前記シンボル数決定部が決定したシンボル数のシンボルを選択するシンボル選択部と、
前記シンボル選択部が選択したシンボルに基づいて前記基地局装置からの受信信号のチャネル推定値を算出するチャネル推定部と、
を備えることを特徴とする移動局装置。
（付記２）
前記シンボル選択部は、前記シンボルを格納する無線通信フレームの先頭から順に前記シンボル数決定部が決定したシンボル数のシンボルを選択することを特徴とする付記１に記載の移動局装置。
（付記３）
前記シンボル選択部は、チャネル推定の対象の無線リソースにより近いシンボルを優先的に選択することを特徴とする付記１に記載の移動局装置。
（付記４）
前記シンボル選択部は、チャネル推定の対象の無線リソースから同時間離れた２個のシンボルのうち、より受信時刻が早いシンボルを優先して選択することを特徴とする付記３に記載の移動局装置。
（付記５）
基地局装置から通知される前記信号に応じて、ダウンリンク受信タイミングに対するアップリンク送信タイミングのオフセットであるタイミングアドバンスを決定するタイミング制御部を備え、
前記シンボル数決定部は、タイミングアドバンスに応じてチャネル推定に用いるリファレンス信号を含むシンボル数を決定することを特徴とする付記１〜４のいずれか一項に記載の移動局装置。
（付記６）
基地局装置から通知される前記信号に応じて、前記移動局装置が受信するトランスポートブロックの大きさを特定するトランスポートブロック特定部を備え、
前記シンボル数決定部は、トランスポートブロックの大きさに応じてチャネル推定に用いるリファレンス信号を含むシンボル数を決定することを特徴とする付記１〜４のいずれか一項に記載の移動局装置。
（付記７）
基地局装置から通知される前記信号に応じて、ダウンリンク受信タイミングに対するアップリンク送信タイミングのオフセットであるタイミングアドバンスを決定するタイミング制御部と、
基地局装置から通知される前記信号に応じて、前記移動局装置が受信するトランスポートブロックの大きさを特定するトランスポートブロック特定部と、を備え、
前記シンボル数決定部は、タイミングアドバンス及びトランスポートブロックの大きさに応じてチャネル推定に用いるリファレンス信号を含むシンボル数を決定することを特徴とする付記１〜４のいずれか一項に記載の移動局装置。
（付記８）
基地局装置から通知される信号の値に応じて、チャネル推定に用いるリファレンス信号を含むシンボル数を動的に決定し、
リファレンス信号を含む複数のシンボルの中から、決定された前記シンボル数のシンボルを選択し、
選択された前記シンボルに基づいて前記基地局装置からの受信信号のチャネル推定値を算出することを特徴とする通信方法。
【符号の説明】
【００７１】
１    通信システム
２    基地局装置
３    移動局装置
２３    送信タイミング制御部
２６    チャネル推定部
２７    シンボル数決定部
２８    復調部
２９    誤り訂正復号部
３０    ＴＢサイズ特定部
【図１】
2014128020.tif 000007
【図２】
2014128020.tif 000008
【図３】
2014128020.tif 000009
【図４】
2014128020.tif 000010
【図５】
2014128020.tif 000011
【図６】
2014128020.tif 000012
【図７】
2014128020.tif 000013
【図８】
2014128020.tif 000014
【図９】
2014128020.tif 000015
【図１０】
2014128020.tif 000016
【図１１】
2014128020.tif 000017
【図１２】
2014128020.tif 000018